(57)【要約】【課題】端子金具が半嵌合状態にある時には相手側コネクタのフード部に対するコネクタハウジングの組み付け動作を規制する。【解決手段】ハウジングリテーナ３４の延出部３７には傾斜面３８Ａが設けられる一方、本体部３５には縦壁３９Ａが設けられている。そのため、サブコネクタ６０が正規位置まで挿入されているにも拘わらずハウジングリテーナ３４を収容部２２に押し込み忘れた状態で、フード部５３に対するホルダ１１の組み付け作業を行うと、嵌合操作に伴って傾斜面３８Ａがハウジングリテーナ３４を収容部２２内へと案内するため嵌合動作が円滑に進む。一方、正規位置まで押し込まれないまま組み付けを行った場合には、傾斜面３８Ａが圧潰するが、その後、縦壁３９Ａが嵌合面５３Ｃに面当たりすることで嵌合が規制される。これにより、正規深さまで差し込まれていないサブコネクタ６０の存在が検知される。【選択図】図１８
2004247055.tif 000002
【特許請求の範囲】
【請求項１】
相手側コネクタに設けられたフード部に対して嵌合可能に形成されるとともに、内部に端子金具を装着可能な被嵌合体と、
前記被嵌合体の側面に凹み形成された収容部に設けられたリテーナとを備えるコネクタであって、
前記リテーナは前記収容部に正規に収められた状態では、前記被嵌合体と共に前記フード部内に収容可能である一方、前記収容部に対して半挿入の状態では前記フード部の開口縁に対して当接可能とされ、更に、
前記リテーナにおける前記フード部の開口縁に対する対向部分には、
前記フード部に対する嵌合動作の過程で、前記フード部の開口縁に摺接し前記リテーナを前記収容部内へ案内する傾斜面が形成された案内部と、
前記フード部の開口端面に対面する縦壁を備えた規制部とが設けられるとともに、
前記縦壁は前記被嵌合体の嵌合方向に関し前記傾斜面の始端と終端との間にあり、かつ前記傾斜面の内側に形成され、前記フード部に対する嵌合動作の過程で前記案内部が圧潰された場合に前記フード部の開口端面に面当たりして前記嵌合動作を規制する構成であることを特徴とするコネクタ。
【請求項２】
前記被嵌合体は、
複数のサブコネクタハウジングと、
内部に前記サブコネクタハウジングを装着可能とし、側面には前記収容部が形成されたホルダとを備えて構成されるとともに、
前記リテーナは本体部の幅方向の両側に前記ホルダの側面に対して摺接するガイド壁を設けて全体が前記ホルダを跨ぐようなコの字状に形成されるとともに、前記収容部内に正規に収められた際にはホルダに対し正規深さに挿入された前記サブコネクタハウジングを抜止め状態に係止するものであって、
前記ガイド壁には前記フード部側に向けて延出するとともに、前記リテーナが半挿入状態にあると前記収容部から外方へ突出するような延出部が形成されるとともに、この延出部に前記案内部が形成された構成であることを特徴とする請求項１記載のコネクタ。
【請求項３】
前記被嵌合体は、
複数のサブコネクタハウジングと、
内部に前記サブコネクタハウジングを装着可能とし、側面には前記収容部が形成されたホルダとを備えて構成されるとともに、
相手側コネクタのフード部の内壁には嵌合方向に沿った案内溝が設けられる一方、前記ホルダの側面には前記案内溝に嵌合可能なガイドリブが突成されたものであって、
前記リテーナは前記収容部内に正規に収められた際にはホルダに対し正規深さにまで挿入された前記サブコネクタハウジングを抜止め状態に係止するとともに、前記リテーナの外面側には前記ガイドリブに連続するような突出片部が形成され、この突出片部における嵌合方向側の先端部分に前記案内部が形成された構成であることを特徴とする請求項１記載のコネクタ。
【発明の詳細な説明】
【０００１】
【発明の属する技術分野】
本発明は、リテーナを備えたコネクタに関する。
【０００２】
【従来の技術】
従来、コネクタハウジングに装着される端子を二重に係止する構造としては、ランス及びリテーナによるものが一般的である。このうち、リテーナとしてはサイドリテーナタイプのものが知られている（特許文献１）。
リテーナはコネクタハウジングの側面に設けられたリテーナ挿通孔に対して収容された状態ではコネクタハウジングと面一となり、コネクタハウジングと共に相手側コネクタのフード部に対して収容されるようになっている。
一方、コネクタハウジングに対して端子が半挿入である場合には、リテーナをリテーナ挿通孔に押し込むことができず（リテーナと端子が干渉）、リテーナがコネクタハウジングから浮いた状態となる。この状態でコネクタハウジングを相手側コネクタのフード部に対して組付けても、リテーナとフード部が干渉して組付け動作が規制される。この組付け動作の規制によって、端子の半挿入が検知される。
【０００３】
【特許文献１】
特開平１１−１３５１８４号公報（第１、３、５図）
【０００４】
【発明が解決しようとする課題】
ところで、リテーナが浮いた状態となるケースは、前述した端子がコネクタハウジングに対して半挿入であった場合の他に、端子が正規深さに押し込まれているにも拘わらず、単にリテーナの押し込み不足に起因するケースがあり、この場合にはフード部に対する組付け動作に伴って、リテーナがリテーナ挿通孔に対して自動的に押し込まれるような構造であることが望ましい。そこで、このような構造としては、リテーナにおけるフード部との対向部分にフード部に摺接してリテーナをリテーナ挿通孔に案内するような傾斜面を設けることが考えられる。
ところが、単に傾斜面を設けるのみでは、端子が半挿入である場合にも無理な力が加わるとフード部及び傾斜面の変形等によって、リテーナが浮き上がった状態のままのコネクタハウジングがフード部に組み付いてしまう虞がある。
本発明は上記のような事情に基づいて完成されたものであって、リテーナをリテーナ挿通孔へ案内するような案内機能を備えたとうえで、端子金具が半嵌合状態にある時には相手側コネクタのフード部に対するコネクタハウジングの組み付け動作を規制可能なコネクタを提供することを目的とする。
【０００５】
【課題を解決するための手段】
上記の目的を達成するための手段として、請求項１の発明は、相手側コネクタに設けられたフード部に対して嵌合可能に形成されるとともに、内部に端子金具を装着可能な被嵌合体と、前記被嵌合体の側面に凹み形成された収容部に設けられたリテーナとを備えるコネクタであって、前記リテーナは前記収容部に正規に収められた状態では、前記被嵌合体と共に前記フード部内に収容可能である一方、前記収容部に対して半挿入の状態では前記フード部の開口縁に対して当接可能とされ、更に、前記リテーナにおける前記フード部の開口縁に対する対向部分には、前記フード部に対する嵌合動作の過程で、前記フード部の開口縁に摺接し前記リテーナを前記収容部内へ案内する傾斜面が形成された案内部と、前記フード部の開口端面に対面する縦壁を備えた規制部とが設けられるとともに、前記縦壁は前記被嵌合体の嵌合方向に関し前記傾斜面の始端と終端との間にあり、かつ前記傾斜面の内側に形成され、前記フード部に対する嵌合動作の過程で前記案内部が圧潰された場合に前記フード部の開口端面に面当たりして前記嵌合動作を規制する構成であることに特徴を有する。
【０００６】
請求項２の発明は、請求項１に記載のものにおいて、前記被嵌合体は、複数のサブコネクタハウジングと、内部に前記サブコネクタハウジングを装着可能とし、側面には前記収容部が形成されたホルダとを備えて構成されるとともに、前記リテーナは本体部の幅方向の両側に前記ホルダの側面に対して摺接するガイド壁を設けて全体が前記ホルダを跨ぐようなコの字状に形成されるとともに、前記収容部内に正規に収められた際にはホルダに対し正規深さに挿入された前記サブコネクタハウジングを抜止め状態に係止するものであって、前記ガイド壁には前記フード部側に向けて延出するとともに、前記リテーナが半挿入状態にあると前記収容部から外方へ突出するような延出部が形成されるとともに、この延出部に前記案内部が形成された構成であるところに特徴を有する。
【０００７】
請求項３の発明は、請求項１に記載のものにおいて、前記被嵌合体は、複数のサブコネクタハウジングと、内部に前記サブコネクタハウジングを装着可能とし、側面には前記収容部が形成されたホルダとを備えて構成されるとともに、相手側コネクタのフード部の内壁には嵌合方向に沿った案内溝が設けられる一方、前記ホルダの側面には前記案内溝に嵌合可能なガイドリブが突成されたものであって、前記リテーナは前記収容部内に正規に収められた際にはホルダに対し正規深さにまで挿入された前記サブコネクタハウジングを抜止め状態に係止するとともに、前記リテーナの外面側には前記ガイドリブに連続するような突出片部が形成され、この突出片部における嵌合方向側の先端部分に前記案内部が形成された構成であるところに特徴を有する。
【０００８】
【発明の作用及び効果】
＜請求項１の発明＞
請求項１の発明によれば、リテーナが半挿入状態でフード部に対する被嵌合体の組み付け（嵌合動作）が行われた場合には、嵌合動作の途中でリテーナの案内部がフード部の開口縁に当接する。その後、傾斜面の作用によりリテーナは収容部へと案内され嵌合動作が完了した際には、コネクタ全体（被嵌合体及びリテーナ）がフード部内に収容される。
一方、仮に何らかの異常があって嵌合動作の際にリテーナの案内部が圧潰した場合には縦壁がフード部の開口端面に対して面当たりして、フード部に対する当該コネクタの嵌合動作が規制される。尚、リテーナの案内部が圧潰する場合としては、例えば、端子金具がコネクタハウジングに対して正規深さまで押し込まれていない状態でフード部に対する被嵌合体の組み付けがなされた場合である。この場合には半挿入状態にあるリテーナを収容部側へ押し込もうとしてもリテーナの一部が端子金具に対して当接するためリテーナを収容部内へ押し込むことが出来ない。従って、このような状況下で無理に組み付けを行うと案内部はフード部の開口縁に当接した後、押圧され変形をきたすこととなる。
【０００９】
＜請求項２の発明＞
請求項２の発明によれば、ガイド壁はホルダの側面に摺接するように形成されており、リテーナをホルダに対して保持するようになっている。また、このガイド壁は延出部を設けており、そこには案内部が形成されている。このように、案内部が既存構造部分に形成された構成であるため、新たに案内部を付加してもリテーナの形状が複雑化されることがない。
【００１０】
＜請求項３の発明＞
請求項３の発明によれば、突出片部は、フード部に対して被嵌合体を組付ける際にはガイドリブとともに案内溝に対して差し込まれるようになっており、組み付け時の案内となるものであるが、その先端部分に案内部が形成されている。このように、案内部が既存構造部分に形成された構成であるため、新たに案内部を付加してもリテーナの形状が複雑化されることがない。
【００１１】
【発明の実施の形態】
本発明の一実施形態を図１ないし図２２によって説明する。
第１コネクタ（本発明のコネクタに相当する）１０は、複数のサブコネクタハウジング６０（以下、サブコネクタとする）が装着可能とされたホルダ１１と、このホルダ１１に対して装着されサブコネクタ６０を一括して抜止めするハウジングリテーナ（本発明のリテーナに相当する）３４とを主体として構成されている。一方、第２コネクタ５０（本発明の相手側コネクタに相当する）は第１コネクタ１０を収容可能な大きさのフード部５３を有しており、フード部５３に第１コネクタ１０を嵌合させることが出来る。
尚、以下の説明において、両コネクタ１０、５０が互いに嵌合する面側を前側とする。
【００１２】
第１コネクタ１０を構成するホルダ１１は合成樹脂材からなるとともに、図１及び図２に示すように横長な枠状をなしており前後方向に貫通している。ホルダ１１の内部空間は上面壁１２と下面壁１３との間に設けられてた２枚の仕切壁２０により仕切られており、左右３つの組付け空間２１が構成されている。この組付け空間２１内には、夫々、サブコネクタ６０が後方から嵌入されるようになっている。
【００１３】
サブコネクタ６０は組み付け空間２１に対応して３個設けられている。各サブコネクタ６０はいずれも方形なブロック状をなすが、左右の組付け空間２１に挿入されるサブコネクタ６０に比べて中央の組み付け空間２１に挿入されるサブコネクタ６０の方が横幅が広く形成されている。これらサブコネクタ６０は基本構造を同じくしており、図４に示すように、各サブコネクタ６０内には複数のキャビティ６１が形成されている。キャビティ６１には後方から雌端子金具６２が挿入されるとともに、各雌端子金具６２に固着された電線７５はサブコネクタ６０の後端面から後方へ導出されている。各雌端子金具６２はキャビティ６１の上壁に設けられたランス６７に弾性係止して抜け止めされる。サブコネクタ６０の下面側には幅方向の全域に亘ってリテーナ挿通孔が形成され、内部にターミナルリテーナ６８を収容可能としている。このターミナルリテーナ６８は前記したランス６７とともに雌端子金具６２を二重に係止し、サブコネクタ６０に対する雌端子金具６２の抜止めを図っている。
【００１４】
また、キャビティ６１の内部にはサブコネクタ６０の前方からショート端子６３が挿入されている。このショート端子６３は第１コネクタ１０が第２コネクタ５０に嵌合するまでの間、左右に並んだ雌端子金具６２同士を短絡させるものである。一方、第２コネクタ５０のフード部５３の奥面にはショート端子６３と対応した位置に前方に突出する解除片６９を設けており、これにて、両コネクタ１０、５０が嵌合する際に、ショート端子６３と雌端子金具６２の間に進入してショート端子６３の接触部分を下方に撓ませることで雌端子金具６２から離間させ、短絡の解除を行うようになっている。
【００１５】
各サブコネクタ６０の下面の左右両側（サブコネクタ６０の中心から左右非対象な位置）には前後方向に平行に延びる一対の検知リブ６５が設けられる一方、ホルダ１１の下面壁１３における各サブコネクタ６０の検知リブ６５と対応した位置には、検知リブ６５を収容可能な大きさの検知溝２３がホルダ１１の前部側から奥行き方向（後方）に向けて形成されている。この検知リブ６５はホルダ１１に対するサブコネクタ６０の案内、ホルダ１１に対するサブコネクタ６０の誤組み付け（前後逆挿入）の阻止を行うとともに、ホルダ１１に対するサブコネクタ６０の押し込み不足の検知（後述する）の役目を果たすものである。
【００１６】
また、各サブコネクタ６０の下面の前側の中央部にはロック突部６４が下向きに設けられる。一方、ホルダ１１の下面壁１３の前部側には各組み付け空間２１毎にロック突部６４に対して弾性係止可能な係止片２８が形成されており、サブコネクタ６０が正規の深さまで挿入されると各ロック突起６４がそれぞれ係止片２８に対して係止し、ホルダ１１に対するサブコネクタ６０の抜け止めを図るようになっている。また、正規の深さまでサブコネクタ６０が挿入されると、ホルダ１１とサブコネクタ６０の前面同士が面一となる。
【００１７】
ホルダ１１の下面壁１３の底面におけるの中央部寄りの位置には、図３に示すように、ホルダ１１の幅方向に全域に亘って次述するハウジングリテーナ３４を収容するための収容部２２が凹み形成されている。この収容部２２と各組み付け空間２１との間は２枚の連結板２５によって仕切られている。連結板２５は各収容部２２の前後を架設しホルダ１１を補強するとともに、その外面側で前記検知溝２３を形成する。また、収容部２２は検知溝２３を介して組み付け空間２１側へ連通している。
この収容部２２はその前端位置が、サブコネクタ６０が正規深さに挿入された際の検知リブ６５の後端位置と整合する位置に配されている。
【００１８】
ハウジングリテーナ３４は合成樹脂であって、ホルダ１１の横幅とほぼ同じ幅寸法に形成された平板状をなす本体部３５と本体部３５の幅方向の両側に上方へ起立形成されたガイド壁３６とを備えている。ハウジングリテーナ３４は全体がホルダ１１を跨ぐようなコの字状をなし、ホルダ１１の側壁１４に沿って上下方向に移動可能とされている。本体部３５の上面側にはホルダ１１の各検知溝２３と対応した位置に検知溝２３に対して進入可能な大きさの係止突起３５Ａが設けられるとともに、仕切壁２０と対応した位置には上向きに中間壁３５Ｂが設けられている。
【００１９】
ハウジングリテーナ３４の本体部３５が収容部２２に対して押し込まれると、本体部３５が収容部２２の壁面に当接して停止するが、この位置では本体部３５がホルダ１１に対し面一となる（収容位置、図６参照）。この収容位置は本発明の正規に収められた状態と対応する位置であり、そこまでハウジングリテーナ３４が差し込まれると、ハウジングリテーナ３４の係止突起３５Ａが検知溝２３を通じて組み付け空間２１側に突出するととももに、検知リブ６５の後端に係止してサブコネクタ６０の後方への抜止を図るようになっている。また、ホルダ１１の仕切壁２０の下部には収容部２２側へ開口する嵌合溝２０Ａが設けられており、収容位置において、ハウジングリテーナ３４の中間壁３５Ｂは嵌合溝２０Ａ内に進入するとともに、両中間壁３５Ｂ間に中央のサブコネクタ６０を挟み込む設定となっている。これにより、ハウジングリテーナ３４の幅方向の触れを規制している。尚、この収容位置においては収容部２２とハウジングリテーナ３４との間に特段ロック機構は設けられていない。
【００２０】
また、ホルダ１１に対してサブコネクタ６０が正規深さまで挿入されていない場合には、サブコネクタ６０の検知リブ６５が収容部２２内に位置している。そのため、この状態のままハウジングリテーナ３４を収容部２２に対して押し込んでも、係止突起３５Ａが検知リブ６５と干渉するため、収容位置に至らない。この押し込みの規制によりホルダ１１に対するサブコネクタ６０の押し込み不足を検知することが可能である。
【００２１】
一方、ハウジングリテーナ３４は前述した収容位置から下方へ退避し、本体部３５がホルダ１１の外面から突出する突出位置（図７参照）へ変位可能とされている。具体的には、ホルダ１１の左右両側壁１４の外面の中央下部、すなわち、収容部２２の側方にはホルダ１１の幅寸法とほぼ等しい幅寸法のガイド凹部１４Ａが形成されており（図５参照）、ハウジングリテーナ３４の上下動を案内するようになっている。このガイド凹部１４Ａの側面には突起１４Ｂが形成される一方、ガイド壁３６の内面側には突起１４Ｂに係止可能な抜止溝３６Ａが設けられている。ハウジングリテーナ３４が突出位置に至ると、突起１４Ｂとハウジングリテーナ３４の抜止溝３６Ａの端縁とが係止してホルダ１１に対してハウジングリテーナ３４を抜け止めする。また、この突出位置においては、係止突起３５Ａがホルダ１１の検知溝２３の下方に退避するため、ホルダ１１に対しサブコネクタ６０を干渉なく抜き差しすることが出来る。
【００２２】
ホルダ１１の上面壁１２は上面板１２Ａと天井板１２Ｂとからなり、対向する面間に次述するレバー４０を収容するための横長な収容区間１６が形成されている。収容区間１６の中央部には天井板１２Ｂから上面板１２Ａに向けて上向きに支持軸１７が突出形成されている。この支持軸１７はレバー４０を回動可能に支持する役割を果たす。
レバー４０は合成樹脂であって、全体として水平な板状をなすとともに、やや細長いカム板部４１を備えておりその一端側寄り位置の下面に円形の軸受孔４２が凹設されている。この軸受孔４２にはホルダ１１の支持軸１７が嵌合され、レバー４０はこの支持軸１７を中心として、図８に示すようにレバー４０の後端部分がホルダ１１より突出した初期位置と、図１０に示すようにレバー４０が横向き姿勢となってそのほぼ全体がホルダ１１内に収容された嵌合完了位置との間を回動可能とされている。
【００２３】
カム板部４１における軸受孔４２の周りには、後述する第２コネクタ５０のカムピン５４を係合可能なカム溝４５が設けられている。カム溝４５はカム板部４１の端縁部に開口するように形成されている。一方、ホルダ１１の上面板１２Ａには、第２コネクタ５０のカムピン５４が進入可能な逃がし溝１８が支持軸１７の前側に形成されており、レバー４０が初期位置にあるときには、カム溝４５の開口部４５Ａが逃がし溝１８に整合して、カム溝４５へカムピン５４を受け入れ可能な体勢となる。
【００２４】
また、カム板部４１における軸受孔４２側の端縁部には、片持ち状の弾性係止片４６が側方に張り出し形成されている。一方、天井板１２Ｂにおける支持軸１７の側方には細長いブロック状のロック用受け部３０が形成されており、レバー４０が初期位置にあるときには弾性係止片４６がロック用受け部３０の端部に係止することで、レバー４０の嵌合完了位置側への回動が規制された状態となる。また、ホルダ１１の上面板１２Ａにはホルダ１１の前面（嵌合面）から前記ロック用受け部３０に向かう差込溝１９が設けられている。一方、第２コネクタ５０側には差込溝１９に対して進入可能なロック解除リブ５５（後述）が設けられている。そのため、両コネクタ１０、５０を嵌合させると、その嵌合過程でロック解除リブ５５が差込溝１９内に進入し弾性係止片４６をロック解除方向に弾性変位させることで、ロック用受け部３０に対するロックが解除される。
【００２５】
さらに、レバー４０には、カム板部４１の軸受孔４２とは反対側の端部で、かつ嵌合完了位置においてホルダ１１の後面側になる位置に操作部４７が設けられている。操作部４７における上面壁１２に対する対向面側には、図８において紙面に対し直交する方向に撓み可能とされた弾性ロック片４８が設けられている。一方、ホルダ１１の上面壁１２には弾性ロック片４８と係止可能な爪部（図示せず）が形成されており、レバー４０を嵌合完了位置に保持するようになっている。また、弾性ロック片４８の先端部には平板状の指押し部４８Ａが形成されている。そのため、この指押し部４８Ａを紙面に対して直交する方向に押圧操作することで爪部に対するレバー４０のロックを解除することが出来る。
【００２６】
続いて、第２コネクタ５０について説明する。図１１及び図１２に示すようにハウジング５１は合成樹脂製であって、前方に開口する方形のフード部５３を有し、このフード部５３内には第１コネクタ１０のホルダ１１が嵌入されるようになっている。このフード部５３の奥端面には後方に向けて屈曲形成された雄端子金具５２が収容され、その先端部分がフード部５３側に突出している。この隣合う雄端子金具５２間の一部には前述した解除片６９が形成されている。
また、フード部５３の下部壁５７には前後方向に延びる案内溝５６が形成されている。この案内溝５６は左右両側に一対と中央部に一対の合計４本が平行に形成されている。一方、ホルダ１１の下面側にも案内溝５６と対応した位置に前後方向に平行に延びるガイドリブ２７が形成されるとともに、ハウジングリテーナ３４の外面側にはガイドリブ２７と連続する突出片部３５Ｃが形成されている（中央部のみ）。これらガイドリブ２７と突出片部３５Ｃはいずれも案内溝５６と嵌合可能とされており、フード部５３に対してホルダ１１を嵌合させる際のガイドとしての役割を果たす。
【００２７】
また、各案内溝５６のうち中央部の案内溝は断面形状が台形をなす（以下、この台形断面の案内溝を特に、アリ溝とする）。一方、対応する部位のガイドリブ２７も断面が台形状をなし互いに嵌合可能とされている。そのため、アリ溝５６とガイドリブ２７の嵌合により、ホルダ１１をフード部５３に装着する際にフード部５３が外方に膨らむような変形が防止される。尚、突出片部３５Ｃはアリ溝５６に対して隙間を設けて嵌合するような断面形状とされている。
また、フード部５３の上部壁５８には、円柱状のカムピン５４とロック解除リブ５５が下方、即ちフード部５３の内部空間に向けて突出して形成されている。ロック解除リブ５５は幅方向においてはホルダ１１の差込溝１９と対応した位置に配されるとともにフード部５３の前端位置から奥端面にかけて形成されている。
【００２８】
ところで、図１５に示すように、ハウジングリテーナ３４のガイド壁３６の先端部分は本体部３５より前方（フード部５３との嵌合面側）に延出しており、延出部３７が形成されている。図１４、図１６に示すように、延出部３７の基端側（図１４の下側）は、ハウジングリテーナ３４が収容部２２に対し半挿入（収容位置と突出位置の間に位置する場合）の状態である時には、収容部２２より突出しフード部５３における下部壁５７の開口縁５７Ｂに干渉するような高さ位置にある。この基端部分は案内部３８とされており、そこには前方に向かって昇り傾斜に形成されるとともに本体部３５に連続するような傾斜面３８Ａが形成されている。この傾斜面３８Ａはホルダ１１がフード部５３に押し込まれる過程でフード部５３の開口縁５７Ｂに摺接するとともに、ハウジングリテーナ３４を収容部２２に対して押し込み可能としている。
【００２９】
また、ハウジングリテーナ３４の本体部３５の前端面にはその長さ方向の全長に亘って規制部３９が形成されている。規制部３９は本体部３５の下面側に形成された縦壁３９Ａと、この縦壁３９Ａと連続し本体部３５の上面側に接続される斜面壁３９Ｂとからなる。このうち、縦壁３９Ａは、ハウジングリテーナ３４が収容位置と突出位置の間にあるとき（半挿入）には、ホルダ１１の収容部２２から突出する高さ位置にあって、この状態のまま両コネクタ１０、５０を嵌合させるとフード部５３の下部壁５７における開口端面５７Ａと対面する設定となっている。
【００３０】
そのため、嵌合動作の過程において何らかの異常があって、案内部３８が圧潰した場合には、縦壁３９Ａが、フード部５３の開口端面５７Ａに面当たりして両コネクタ１０、５０を嵌合するための押圧力を受承することで嵌合動作を阻止する。また、縦壁３９Ａは傾斜面３８Ａに対する位置関係は、前後方向においては傾斜面３８Ａの始端（図１６中のａ位置）と、終端（図１６中のｂ位置）とに挟まれた範囲内であって、傾斜面３８Ａの内側、すなわち、同図における傾斜面３８Ａの上方に形成されている。従って、図１８に示すように、傾斜面３８Ａのすぐ後方に縦壁３９Ａが位置しており、案内部３８が圧潰すると縦壁３９Ａとハウジングリテーナ３４の開口端面５７Ａとが直ちに面当たりする設定となっている。従って、ホルダ１１側の傾斜面３８Ａが圧潰された状態のまま嵌合を進めてしまい両コネクタ１０、５０が嵌まりこんでしまうより前に、両コネクタ１０、５０の嵌合を阻止することが出来る。
【００３１】
次に、本実施形態の作用・効果を具体的に説明する。
組付けに際しては、まず、ホルダ１１に対してハウジングリテーナ３４を突出させた突出位置に仮組みした状態（図７参照）から、ホルダ１１の各組付け空間２１内にサブコネクタ６０を嵌合させる。このとき、ハウジングリテーナ３４の係止突起３５Ａは検知溝２３よりも下方へ退避しているので、サブコネクタ６０の組付けを円滑に行うことが出来る。
【００３２】
サブコネクタ６０が正規深さに（図１２参照）に至ると、検知リブ６５がハウジングリテーナ３４の本体部３５を通過して本体部３５よりも前方に位置するとともに、ホルダ１１の係止片２６がサブコネクタ６０のロック突部６４に弾性的に係止して、サブコネクタ６０を抜止めする。こうして全てのサブコネクタ６０の装着を終了させる。続いて、ハウジングリテーナ３４を収容部２２へ押し込むと、本体部の中間壁３５Ｂが仕切壁２０の嵌合溝２０Ａ内に、本体部の係止突起３５Ａが検知溝２３内にそれぞれ進入してゆき、やがて、ハウジングリテーナ３４全体が収容部２２及びガイド凹部１４Ａ内に収容され、ホルダ１１と面一となる（収容位置）。この状態では、本体部３５の係止突起３５Ａが検知溝２３を通じて組み付け空間２１側に突出し、検知リブ６５の後端面に対して後方から係止する。この係止と前記した係止片２６による係止により、サブコネクタ６０は二重に抜止めされる。
【００３３】
以上により第１コネクタ１０の組付けが完了する。この後、第１コネクタ１０と第２コネクタ５０を正対させ第２コネクタ５０のフード部５３内に第１コネクタ１０のホルダ１１を浅く嵌入させてゆく。このとき、ホルダ１１のレバー４０は予め初期位置（図８参照）にセット（係止）されているから、カム溝４５の入口をホルダ１１が逃がし溝１８に対応しており、カムピン５４をカム溝４５内に進入させることが出来る。更に嵌合を進めると、ロック解除リブ５５がレバー４０の弾性係止片４６に当接し、弾性係止片４６をロック解除方向に弾性変形させる。これにより、レバー４０はロック解除（図９参照）され、回動動作が許容される。
【００３４】
その後、レバー４０を回動操作すると、カムピン５４とカム溝４５との係合によるカム作用により両コネクタ１０、５０が互いに引き寄せられる。このとき、アリ溝５６内にガイドリブ２７が嵌合した状態であるから、ホルダ１１はアリ溝５６に案内されてフード部５３内に進入してゆく。尚、ハウジングリテーナ３４は収容部２２内に押し込まれているので、ハウジングリテーナ３４の本体部３５がホルダ１１の下面壁１３から突出しておらず、両コネクタ１０、５０の嵌合は支障なく進む。そして、レバー４０が嵌合完了位置まで回動されると（図１０参照）、レバー４０の弾性ロック片４８がホルダ１１の爪部に係止するとともに両コネクタ１０、５０が正規の嵌合状態に至り、雄端子金具５２と雌端子金具６２とが接続される（図１３参照）。
【００３５】
以上は、サブコネクタ６０の組付けとハウジングリテーナ３４の組付けの双方が正しく行われた場合であるが、次に、ハウジングリテーナ３４の組付けが正しく行われなかった場合について説明する。図１４に示すようにサブコネクタ６０については全て正しくホルダ１１に組み付けられているが、単にハウジングリテーナ３４の収容部２２に対する押し込みが不足していた場合（半挿入）、ハウジングリテーナ３４の傾斜面３８Ａ、本体部３５はホルダ１１の下面から突出する。この状態のままで両コネクタ１０、５０を嵌合させると、図１６に示すように嵌合の途中でハウジングリテーナ３４の傾斜面３８Ａがフード部５３の開口縁５７Ｂに干渉する。その後、傾斜面３８Ａが開口縁５７Ｂに摺接しながら両コネクタ１０、５０の嵌合が進むため（図１７参照）、ハウジングリテーナ３４は傾斜面３８Ａにより上方へ押し動かされ、フード部５３の開口縁５７Ｂが傾斜面３８Ａを通過した時点でハウジングリテーナ３４は収容部２２内に格納される。このように、ハウジングリテーナ３４が収容位置に矯正されるため、ハウジングリテーナ３４はサブコネクタ６０を抜止し、両コネクタ１０、５０は正規の嵌合状態に至る。
【００３６】
また、ハウジングリテーナ３４が収容部２２から突出する状態となるのは、前述したハウジングリテーナ３４の押し込み不足の場合の他に、図１９に示すように、サブコネクタ６０がホルダ１１に対し正規深さまで挿入されていない場合がある。この場合には、収容部２２内においてサブコネクタ６０の検知リブ６５とハウジングリテーナ３４が干渉するため、ハウジングリテーナ３４を収容部２２内に押し込むことができず、ハウジングリテーナ３４は半挿入の状態にある。
【００３７】
この状態のまま、両コネクタ１０、５０を嵌合させると、やがて、傾斜面３８Ａがフード部５３の開口縁５７Ｂに突き当たるが、上記のようにハウジングリテーナ３４は収容部２２への移動が規制され行き場を失った状態にあり、更に、案内部３８の肉厚はそれほど厚く設定されないため、傾斜面３８Ａのフード部５３の開口縁５７Ｂに対する当接部分が嵌合時に生じる押圧力に負けて圧潰する（図１８の斜線部）。しかし、傾斜面３８Ａが圧潰された後には、縦壁３９Ａがフード部５３の開口端面５７Ａに面当たりし押圧力を受承するため、それ以上、ホルダ１１をフード部５３内に嵌入させることはできない。
また、こうした圧潰現象は、端子の極数が多いコネクタでは起こり易い。というのも、組み付けの際には端子間で摩擦が生ずるが、端子が多極化されている場合には極数に比例してこの摩擦が大きくなり、その分嵌合に必要とされる力も大きくなる。従って、組み付けの際に大きな押圧力が傾斜面３８Ａにも加わるからである。更に、本実施形態では、ホルダ１１側がガイドリブ２７とアリ溝５６の嵌合により外側に膨らむような変形が規制された状態にあるため、傾斜面３８Ａが特に圧潰し易くなっている。
【００３８】
このように、本実施形態によれば、ホルダ１１に対してサブコネクタ６０が正規深さまで差し込まれてさえいれば、仮に、ハウジングリテーナ３４の押し込みが不足していたとしても、傾斜面３８Ａの作用によりハウジングリテーナ３４を両コネクタ１０、５０の嵌合動作に連動して収容部２２内に自動的に押し込み、両コネクタ１０、５０を正規嵌合させることができる。一方、ホルダ１１に対しサブコネクタ６０が正規深さまで挿入されていない場合には、両コネクタ１０、５０の嵌合動作中に、傾斜面３８Ａが圧潰するが、その後、縦壁３９Ａがフード部５３の開口端面５７Ａに面当たりすることによって、両コネクタ１０、５０の嵌合が途中で阻止される。この嵌合阻止によって正規に組み付けられていないサブコネクタ６０が存在している、ということが検知される。従って、組み付け作業者は異常を察知することができるため、誤組み付け等を排斥できコネクタに対する信頼性が高まる。
【００３９】
また、案内部３８はガイド壁３６の延出部３７に形成されている。このように、案内部３８が既存構造部分に形成された構成であるため、ハウジングリテーナ３４の形状が比較的複雑化しない。更に、傾斜面３８Ａを他の既存構造に設けることも可能である。図２１は、ガイド壁３６に傾斜面を設けず、突出片部３５Ｃの先端部分に傾斜面７０を設けたものであるが、この場合にも前記した効果を得ることが出来る。
【００４０】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００４１】
（１）本実施形態では、ハウジングリテーナ３４は収容位置、突出位置において押し込み及び抜けの両方向への移動を同時規制するロックを設けない形式のものであったが、両方向への移動を同時に規制するようなロック構造を備えた形式のものに適用してもよい。
【００４２】
（２）本実施形態は本発明のリテーナをハウジングリテーナ３４に適用したが、ターミナルリテーナ６８に対して適用するものであってもよい。すなわち、分割タイプのコネクタではなく、一体タイプのコネクタに適用する場合であって、ターミナルを係止するためのターミナルリテーナに対し案内部３８、規制部３９を設ける形式である。
【図面の簡単な説明】
【図１】本実施形態におけるホルダ及びハウジングリテーナの正面図
【図２】ホルダ及びハウジングリテーナの背面図
【図３】ホルダの底面図
【図４】ホルダとサブコネクタの嵌合前の状態を表す断面図
【図５】ホルダの断面図
【図６】ハウジングリテーナがホルダに格納された状態を表す断面図
【図７】ハウジングリテーナがホルダから突出した状態を表す断面図
【図８】第１コネクタと第２コネクタの嵌合前の状態を表す水平断面図
【図９】第１コネクタと第２コネクタの嵌合途中の状態を表す水平断面図
【図１０】第１コネクタと第２コネクタにの嵌合が完了した状態を表す水平断面図
【図１１】第２コネクタの正面図
【図１２】第１コネクタと第２コネクタの嵌合前の状態を表す縦断面図
【図１３】第１コネクタと第２コネクタが嵌合した状態を示す縦断面図
【図１４】ハウジングリテーナの半挿入状態を示す縦断面図
【図１５】ホルダ及びハウジングリテーナを下方から見た斜視図
【図１６】嵌合面とハウジングリテーナの組み付け前の位置関係を表す断面図
【図１７】ハウジングリテーナが収容部に格納される状態を示す断面図
【図１８】傾斜面が圧潰した状態を示す断面図
【図１９】ハウジングリテーナの半挿入状態を示す縦断面図（サブコネクタも半挿入状態である）
【図２０】傾斜面を突出片部側に設けた場合の斜視図
【図２１】嵌合面とハウジングリテーナの組み付け前の位置関係を表す断面図
【図２２】傾斜面が圧潰した状態を示す断面図
【符号の説明】
１０…第１コネクタ（コネクタ）
１１…ホルダ（被嵌合体）
２２…収容部
３４…リテーナ
３８…案内部
３８Ａ…傾斜面
３９…規制部
３９Ａ…縦壁
５０…第２コネクタ（相手側コネクタ）
５３…フード部
５７Ａ…開口端面
５７Ｂ…開口縁
６０…サブコネクタ（被嵌合体）
【図１】
2004247055.tif 000003
【図２】
2004247055.tif 000004
【図３】
2004247055.tif 000005
【図４】
2004247055.tif 000006
【図５】
2004247055.tif 000007
【図６】
2004247055.tif 000008
【図７】
2004247055.tif 000009
【図８】
2004247055.tif 000010
【図９】
2004247055.tif 000011
【図１０】
2004247055.tif 000012
【図１１】
2004247055.tif 000013
【図１２】
2004247055.tif 000014
【図１３】
2004247055.tif 000015
【図１４】
2004247055.tif 000016
【図１５】
2004247055.tif 000017
【図１６】
2004247055.tif 000018
【図１７】
2004247055.tif 000019
【図１８】
2004247055.tif 000020
【図１９】
2004247055.tif 000021
【図２０】
2004247055.tif 000022
【図２１】
2004247055.tif 000023
【図２２】
2004247055.tif 000024